【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
複数の内部光学キャビティによって透光性キャリア媒体中に確立された少なくとも１つの３次元特徴部パターンを含む光学機能層としての配光構造体であって、
各前記光学キャビティは、その水平面およびその基本的に垂直な面において少なくとも１つの光学機能を確立するように構成され、前記基本的に垂直な面は、透光性キャリア媒体中において光伝搬方向に配置されており、
前記水平面によって、前記光学キャビティは、略縦方向（longitudinal）の光伝搬路に沿って前記透光性キャリア媒体中の光の伝搬を媒介し、さらに、前記水平面から反射された光線を、前記透光性キャリア媒体中において、複数の光通路を介してキャビティのうち後続の光学キャビティの基本的に垂直な面に向かって配光するように構成されており、
前記基本的に垂直な面によって、前記光学キャビティは、前記縦方向の光伝搬路に対して略横方向の所定方向に前記構造体から光を取り出すように構成されており、
前記少なくとも１つの光学機能は、前記光通路領域の構成と、前記光学キャビティの寸法、周期性、配向、および特徴部パターン内における配置のうち少なくとも１つとの組み合わせによって確立されている、
配光構造体。
【請求項２】
前記少なくとも１つの光学機能は、全内部反射（ＴＩＲ）機能である、請求項１に記載の配光構造体。
【請求項３】
各光学キャビティは、表面の法線に対する臨界角以上の入射角で、そこに到達した光を受光し、さらに配光するように構成されている、請求項１または２に記載の配光構造体。
【請求項４】
前記確立された光学キャビティは、空気などの気体材料で満たされている、請求項１〜３のいずれか１項に記載の配光構造体。
【請求項５】
各個々の光学キャビティは、断面プロファイル、寸法、周期性、特徴部パターン内における配向および配置のうちの少なくとも１つについて可変的に構成されている、請求項１〜４のいずれか１項に記載の配光構造体。
【請求項６】
前記光学キャビティは、基本的にブレーズ状の、曲線状、または波状のプロファイルのうちの１つから選択された３次元プロファイルで確立されている、請求項１〜５のいずれか１項に記載の配光構造体。
【請求項７】
前記光学キャビティは、対称な正弦波または非対称な正弦波として用意される３次元プロファイルで確立されている、請求項１〜６のいずれか１項に記載の配光構造体。
【請求項８】
断面プロファイルの可変性、曲率角の可変性および／または曲率半径の可変性は、各個々の光学キャビティについて、所定の周期性をもって確立されている、請求項１〜７のいずれか１項に記載の配光構造体。
【請求項９】
前記少なくとも１つの特徴部パターンは、離散的なプロファイルまたは少なくとも部分的に連続的なプロファイルを有する複数の光学キャビティから構成されている、請求項１〜８のいずれか１項に記載の配光構造体。
【請求項１０】
断面可変性は、各個々の光学キャビティについて、曲率角、曲率半径、ピッチの長さ、幅、高さ、周期、位相、光通路領域の構成などのうちの少なくとも１つによって、３次元的に確立されている、請求項１〜９のいずれか１項に記載の配光構造体。
【請求項１１】
前記特徴部パターンは、前記光学機能層全体にわたって延びるように構成されている、請求項１〜１０のいずれか１項に記載の配光構造体。
【請求項１２】
所定の順序に従って少なくとも１つの光学機能層上に配置されたある数の特徴部パターンを有する、請求項１〜１０のいずれか１項に記載の配光構造体。
【請求項１３】
前記少なくとも１つの特徴部パターン内において、前記複数の光学キャビティが、前記特徴部パターンによって占有される領域全体に沿っておよび／またはこれを横切って延びる１つまたは複数のアレイに配置されている、請求項１〜１２のいずれか１項に記載の配光構造体。
【請求項１４】
前記光学機能層は、前記特徴部パターンについてのフィルファクターが１００％に等しいか、または１００％未満である、請求項１〜１３のいずれか１項に記載の配光構造体。
【請求項１５】
少なくとも２つの光学機能層を含み、前記少なくとも１つの特徴部パターンは、前記各層上に確立されている、請求項１〜１４のいずれか１項に記載の配光構造体。
【請求項１６】
フィルム、シートまたはコーティングとして提供されている、請求項１〜１５のいずれか１項に記載の配光構造体。
【請求項１７】
前記光学機能層は、光学ポリマーまたはガラス中に確立されている、請求項１〜１６のいずれか１項に記載の配光構造体。
【請求項１８】
前記光学キャビティは、透明層、反射層、および／または着色層から選択される追加的な平坦で平面的なキャリア層との界面で形成される、請求項１〜１７のいずれか１項に記載の配光構造体。
【請求項１９】
複数の点光源からの光を受けるように構成された、請求項１〜１８のいずれか１項に記載の配光構造体。
【請求項２０】
断面プロファイル、寸法、周期性、特徴部パターン内における配向および配置のうち少なくとも１つについて可変的である複数の３次元光学的特徴部によって透光性キャリア中に確立された、少なくとも１つの特徴部パターンを含む光学機能層としての、配光構造体を製造するための方法であって、
前記３次元特徴部パターン用のパターン化されたマスターツールを、高速ツールサーボ（ＦＴＳ）法およびスタイラス彫刻法から選択される圧電切削法、またはレーザ彫刻法によって製造することと、
前記３次元特徴部パターンを前記透光性キャリア上に転写することと、
を包含する、方法。
【請求項２１】
前記パターン化されたマスターツールを製造するステップは、対称または非対称な正弦波の波形として構成された前記３次元特徴部パターンを用意することを
包含する、請求項２０に記載の方法。
【請求項２２】
前記マスターツールは、平面または円柱状の形式で製造される、請求項２０または２１に記載の方法。
【請求項２３】
前記３次元特徴部パターンを前記透光性キャリア上に転写するステップは、ロール・ツー・ロール法、ロール・ツー・シート法、またはシート・ツー・シート法によって実施される、請求項２０〜２２のいずれか１項に記載の方法。
【請求項２４】
表面研磨処理をさらに包含する、請求項２０〜２３のいずれか１項に記載の方法。
【請求項２５】
光がそこに沿って伝搬するための経路を確立するように構成された光学的に透明な基板と、請求項１〜１９のうちいずれか１項に記載の少なくとも１つの配光構造体とを備える、配光素子。
【請求項２６】
光学的に透明な基板の少なくとも１つの表面上に配置されたフィルム、シートまたはコーティングなどの追加の層としての前記配光構造体を備える、請求項２５に記載の配光素子。
【請求項２７】
前記光学的に透明な基板に完全に一体化されたおよび／または埋め込まれた前記配光構造体を備える、請求項２５に記載の配光素子。
【請求項２８】
ライトガイド、ライトパイプ、ライトガイドフィルムまたはライトガイドプレートとして構成される、請求項２５〜２７のいずれか１項に記載の配光素子。
【請求項２９】
発光ダイオード（ＬＥＤ）、有機発光ダイオード（ＯＬＥＤ）、レーザダイオード、ＬＥＤバー、ＯＬＥＤストリップ、マイクロチップＬＥＤストリップ、および冷陰極管から選択される少なくとも１つの光源をさらに備える、請求項２５〜２８のいずれか１項に記載の配光素子。
【請求項３０】
請求項２５〜２９のうちいずれか１項による前記配光素子の、照明および表示における使用。
【請求項３１】
壁パネルおよび天井パネルの照明、ウィンドウおよびファサード照明、サイネージ照明、温室照明、ディスプレイ照明、パッシブマトリクス照明、信号照明、タッチ信号ソリューション、セキュリティシステム、非透明モード用の光マスクを作製するための導光フィルムの製造、セキュリティシステム、表示装置、反射器、および／または集光ソリューションにおける、請求項３０に記載の使用。
【請求項３２】
断面プロファイル、寸法、周期性、特徴部パターン内における配向および配置のうち少なくとも１つについて可変的である複数の３次元光学的特徴部によって透光性キャリア中に確立された少なくとも１つの特徴部パターンを含む光学機能層と、
前記光学機能層を構成するキャリア媒体の屈折率より低い屈折率より低い屈折率を有する基材材料で形成され、複数の開口部を備える光フィルタ層とを備える、配光素子のロール。
【請求項３３】
前記ロール状の光学機能層は、請求項１〜１９のいずれか１項に記載された構造体によって確立される、請求項３２に記載の配光素子のロール。